(57)【要約】【課題】消費電力を抑えるとともに、複数のトランジスタに消費電力を分散させた波形発生回路を備えたプラズマディスプレイ装置を提供する。【解決手段】パネルとパネルを駆動する駆動回路とを備えたプラズマディスプレイ装置であって、駆動回路はランプ波形電圧を発生する波形発生回路４０を備え、波形発生回路４０はランプ波形電圧の勾配を決める電流源（抵抗Ｒ４１）およびコンデンサＣ４１を共有する複数のミラー積分回路４３、４７を有することを特徴とする。【選択図】図５
2009300565.tif 000002
【特許請求の範囲】
【請求項１】
プラズマディスプレイパネルと、前記プラズマディスプレイパネルを駆動する駆動回路とを備えたプラズマディスプレイ装置であって、
前記駆動回路はランプ波形電圧を発生する波形発生回路を備え、
前記波形発生回路は前記ランプ波形電圧の勾配を決める電流源およびコンデンサを共有する複数のミラー積分回路を有することを特徴とするプラズマディスプレイ装置。
【発明の詳細な説明】
【技術分野】
【０００１】
本発明は、プラズマディスプレイパネルを用いた画像表示装置であるプラズマディスプレイ装置に関する。
【背景技術】
【０００２】
プラズマディスプレイパネル（以下、「パネル」と略記する）として代表的な交流面放電型パネルは、対向配置された前面基板と背面基板との間に多数の放電セルが形成されている。
【０００３】
前面基板上には１対の走査電極と維持電極とからなる表示電極対が互いに平行に複数形成され、背面基板上にはデータ電極が平行に複数形成されている。そして、表示電極対とデータ電極とが立体交差するように前面基板と背面基板とが対向配置されて密封され、内部の放電空間には放電ガスが封入されている。ここで表示電極対とデータ電極とが対向する部分に放電セルが形成される。このような構成のパネルを用いて各放電セル内でガス放電を発生させ、蛍光体を励起発光させて画像を表示する。
【０００４】
パネルを駆動する方法としては、サブフィールド法、すなわち、１フィールド期間を複数のサブフィールドに分割した上で、発光させるサブフィールドの組み合わせによって階調表示を行う方法が一般に用いられている。各サブフィールドは、初期化期間、書込み期間および維持期間を有し、それぞれの期間においてそれぞれの電極に必要な駆動電圧を印加する。特に初期化期間では走査電極にランプ波形電圧を印加して初期化放電を発生し、続く書込み動作に必要な壁電荷を各電極上に形成する。
【０００５】
ランプ波形電圧を発生させる波形発生回路には、通常、ミラー積分回路が用いられている（例えば、特許文献１参照）。図８は、従来のプラズマディスプレイ装置の波形発生回路９０の回路図であり、下りランプ波形電圧を発生させる波形発生回路９０の最も単純な回路構成を示している。波形発生回路９０は、トランジスタＱ９１と抵抗Ｒ９１とコンデンサＣ９１とを有し、これらはミラー積分回路９２を構成している。すなわち、抵抗Ｒ９１の一方の端子はトランジスタＱ９１のゲートに接続され、他方の端子は入力端子となっている。コンデンサＣ９１はトランジスタＱ９１のゲートとドレインとの間に接続されている。また図８においては、トランジスタＱ９１のソース端子は電圧Ｖｉ４の電源に接続されている。
【０００６】
次に波形発生回路９０の動作について説明する。図９は、従来のプラズマディスプレイ装置の波形発生回路９０の動作を示す波形図であり、図９（ａ）はトランジスタＱ９１のドレイン電圧Ｖｄを、図９（ｂ）は入力端子に印加する電圧Ｖｉｎを、図９（ｃ）はトランジスタＱ９１のゲート−ソース間電圧Ｖｇｓを、図９（ｄ）はトランジスタＱ９１のドレイン電流Ｉｄをそれぞれ示している。なお、入力端子に印加する電圧ＶｉｎはトランジスタＱ９１のソース端子の電圧Ｖｉ４からの差の電圧を示している。
【０００７】
まず、波形発生回路９０の出力であるトランジスタＱ９１のドレイン電圧Ｖｄの初期値を電圧Ｖｉ３とする。このとき、コンデンサＣ９１は電圧（Ｖｉ３−Ｖｉ４）に充電されている。
【０００８】
時刻ｔ９１において、電圧Ｖｉ４を基準とする入力電圧ＶＨを入力端子に印加する。するとトランジスタＱ９１のゲート−ソース間電圧Ｖｇｓが上昇し、トランジスタＱ９１にドレイン電流Ｉｄが流れて、トランジスタＱ９１のドレイン電圧Ｖｄが低下しはじめる。このときのドレイン電圧Ｖｄの低下する速度は、抵抗Ｒ９１を介してコンデンサＣ９１に流れる一定の電流（ＶＨ−Ｖｇｓ）／Ｒ９１によるコンデンサＣ９１の電圧の低下する速度に等しい。ここで式中のＲ９１は抵抗Ｒ９１の抵抗値を示している。このようにして、波形発生回路９０は一定の速度で電圧が低下する下りランプ波形電圧を発生する。
【特許文献１】特開２００２−１０８２７８号公報
【発明の開示】
【発明が解決しようとする課題】
【０００９】
トランジスタＱ９１の消費電力はドレイン電流Ｉｄとドレイン−ソース間電圧Ｖｄｓとの積を積分した値であるが、上述した従来の波形発生回路９０は、トランジスタＱ９１のドレイン−ソース間に電圧が加わった状態でドレイン電流が流れるため、図９（ａ）のハッチングを施した領域の面積に比例した大きな電力を消費する。このように、トランジスタＱ９１は大きな電力を消費して発熱するので、この発熱を見越したトランジスタの選定および放熱設計がなされてきた。
【００１０】
しかしながら、近年はパネルの大型化にともないドレイン電流も増加し、トランジスタＱ９１の消費電力もますます大きくなる傾向にある。ところがミラー積分回路はトランジスタを能動領域で使用するため、トランジスタを並列接続して消費電力を分散させるという使い方ができない。そのため、消費電力が増加すると使用できる半導体素子が限定され、またその放熱設計も難しくなるという課題があった。
【００１１】
本発明はこれらの課題に鑑みなされたものであり、消費電力を抑えるとともに、複数のトランジスタに消費電力を分散させた波形発生回路を備えたプラズマディスプレイ装置を提供することを目的とする。
【課題を解決するための手段】
【００１２】
上記目的を達成するために本発明は、パネルとパネルを駆動する駆動回路とを備えたプラズマディスプレイ装置であって、駆動回路はランプ波形電圧を発生する波形発生回路を備え、波形発生回路はランプ波形電圧の勾配を決める電流源およびコンデンサを共有する複数のミラー積分回路を有することを特徴とする。この構成により、消費電力を抑えるとともに、複数のトランジスタに消費電力を分散させた波形発生回路を備えたプラズマディスプレイ装置を提供することができる。
【発明の効果】
【００１３】
本発明によれば、消費電力を抑えるとともに、複数のトランジスタに消費電力を分散させた波形発生回路を備えたプラズマディスプレイ装置を提供することが可能となる。
【発明を実施するための最良の形態】
【００１４】
以下、本発明の実施の形態におけるプラズマディスプレイ装置について、図面を用いて説明する。
【００１５】
（実施の形態１）
図１は、本発明の実施の形態１におけるプラズマディスプレイ装置に用いるパネル１０の構造を示す分解斜視図である。ガラス製の前面基板１１上には走査電極１２と維持電極１３とからなる表示電極対１４が複数形成されている。そして表示電極対１４を覆うように誘電体層１５が形成され、誘電体層１５上に保護層１６が形成されている。背面基板２１上にはデータ電極２２が複数形成され、データ電極２２を覆うように誘電体層２３が形成され、さらにその上に井桁状の隔壁２４が形成されている。そして、隔壁２４の側面および誘電体層２３上には赤色、緑色および青色の各色に発光する蛍光体層２５が設けられている。
【００１６】
これら前面基板１１と背面基板２１とは、微小な放電空間を挟んで表示電極対１４とデータ電極２２とが交差するように対向配置され、その外周部をガラスフリット等の封着材によって封着されている。そして放電空間には、例えばネオンとキセノンとの混合ガスが放電ガスとして封入されている。放電空間は隔壁２４によって複数の区画に仕切られており、表示電極対１４とデータ電極２２とが交差する部分に放電セルが形成されている。そしてこれらの放電セルが放電、発光することにより画像が表示される。
【００１７】
なお、パネル１０の構造は上述したものに限られるわけではなく、例えばストライプ状の隔壁を備えたものであってもよい。
【００１８】
図２は、本発明の実施の形態１におけるプラズマディスプレイ装置に用いるパネル１０の電極配列図である。パネル１０には、行方向に長いｎ本の走査電極ＳＣ１〜ＳＣｎ（図１の走査電極１２）およびｎ本の維持電極ＳＵ１〜ＳＵｎ（図１の維持電極１３）が配列され、列方向に長いｍ本のデータ電極Ｄ１〜Ｄｍ（図１のデータ電極２２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【００１９】
なお、図１、図２に示したように、走査電極ＳＣｉと維持電極ＳＵｉとは互いに平行に対をなして形成されているため、走査電極ＳＣ１〜ＳＣｎと維持電極ＳＵ１〜ＳＵｎとの間に大きな電極間容量が存在する。また走査電極ＳＣ１〜ＳＣｎとデータ電極Ｄ１〜Ｄｍとの間にも電極間容量が存在する。そのため走査電極ＳＣ１〜ＳＣｎは大きな等価容量を持つ容量性の負荷となる。
【００２０】
次に、パネル１０を駆動するための駆動電圧波形とその動作について説明する。プラズマディスプレイ装置は、サブフィールド法、すなわち１フィールドを複数のサブフィールドに分割し、サブフィールド毎に各放電セルの発光・非発光を制御することによって画像を表示する。それぞれのサブフィールドは初期化期間、書込み期間および維持期間を有する。
【００２１】
図３は、本発明の実施の形態１におけるプラズマディスプレイ装置の各電極に印加する駆動電圧波形図である。図３には、２つのサブフィールドの駆動電圧波形を示しているが、他のサブフィールドにおける駆動電圧波形もほぼ同様である。
【００２２】
第１サブフィールドの初期化期間の前半部では、データ電極Ｄ１〜Ｄｍ、維持電極ＳＵ１〜ＳＵｎにそれぞれ０（Ｖ）を印加し、走査電極ＳＣ１〜ＳＣｎには電圧Ｖｉ１から電圧Ｖｉ２に向かって緩やかに上昇する上りランプ波形電圧を印加する。このランプ波形電圧が上昇する間に、走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電が起こる。そして、走査電極ＳＣ１〜ＳＣｎ上に負の壁電圧が蓄積されるとともに、データ電極Ｄ１〜Ｄｍ上および維持電極ＳＵ１〜ＳＵｎ上には正の壁電圧が蓄積される。ここで、電極上の壁電圧とは電極を覆う誘電体層上、保護層上、蛍光体層上等に蓄積された壁電荷により生じる電圧を表す。
【００２３】
初期化期間の後半部では、維持電極ＳＵ１〜ＳＵｎに所定の電圧を印加し、走査電極ＳＣ１〜ＳＣｎには電圧Ｖｉ３から電圧Ｖｉ４に向かって緩やかに下降する下りランプ波形電圧を印加する。この間に、走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電が起こる。そして、走査電極ＳＣ１〜ＳＣｎ上の負の壁電圧および維持電極ＳＵ１〜ＳＵｎ上の正の壁電圧が弱められ、データ電極Ｄ１〜Ｄｍ上の正の壁電圧は書込み動作に適した値に調整される。以上により、書込み放電に必要な壁電荷を各電極上に形成する初期化動作が終了する。
【００２４】
なお、初期化期間の駆動電圧波形としては、図３の第２サブフィールドの初期化期間に示したように初期化期間の後半部の電圧だけを印加してもよく、この場合には直前のサブフィールドの維持期間において維持放電を行った放電セルで選択的に初期化放電が発生する。
【００２５】
続く書込み期間では、走査電極ＳＣ１〜ＳＣｎに一旦所定の電圧を印加する。そして次に、１行目の走査電極ＳＣ１に負の走査パルスを印加するとともに、データ電極Ｄ１〜Ｄｍのうち１行目に発光させるべき放電セルのデータ電極Ｄｋ（ｋ＝１〜ｍ）に正の書込みパルスを印加する。するとデータ電極Ｄｋと走査電極ＳＣ１との間および維持電極ＳＵ１と走査電極ＳＣ１との間に書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００２６】
このようにして、１行目に発光させるべき放電セルで書込み放電を起こして各電極上に壁電圧を蓄積する書込み動作が行われる。一方、書込みパルスを印加しなかったデータ電極Ｄｈ（ｈ＝１〜ｍ、ｈ≠ｋ）と走査電極ＳＣ１との交差部の電圧は放電開始電圧を超えないので書込み放電は発生しない。以上の書込み動作を走査電極ＳＣｎのｎ行目の放電セルに至るまで行い、書込み期間を終了する。
【００２７】
続く維持期間では、維持電極ＳＵ１〜ＳＵｎに０（Ｖ）を印加するとともに走査電極ＳＣ１〜ＳＣｎに維持パルスを印加する。すると書込み放電を起こした放電セルでは走査電極ＳＣｉと維持電極ＳＵｉとの間で維持放電が起こり、蛍光体層２５が発光する。そして走査電極ＳＣｉ上に負の壁電圧が蓄積され、維持電極ＳＵｉ上に正の壁電圧が蓄積され、データ電極Ｄｋ上にも正の壁電圧が蓄積される。ただし、書込み期間において書込み放電が起きなかった放電セルでは維持放電は発生せず、初期化期間の終了時における壁電圧が保たれる。
【００２８】
続いて、走査電極ＳＣ１〜ＳＣｎには０（Ｖ）を、維持電極ＳＵ１〜ＳＵｎには維持パルスをそれぞれ印加する。すると、維持放電を起こした放電セルでは再び維持放電が起こり、蛍光体層２５が発光する。そして維持電極ＳＵｉ上に負の壁電圧が蓄積され走査電極ＳＣｉ上に正の壁電圧が蓄積される。
【００２９】
以降同様に、走査電極ＳＣ１〜ＳＣｎと維持電極ＳＵ１〜ＳＵｎとに交互に輝度重みに応じた数の維持パルスを印加することにより、書込み期間において書込み放電を起こした放電セルで維持放電が発生し、蛍光体層２５が発光する。
【００３０】
そして、維持期間の最後には、上りランプ波形電圧を走査電極ＳＣ１〜ＳＣｎに印加して、データ電極Ｄｋ上の正の壁電圧を残したまま走査電極ＳＣｉ上および維持電極ＳＵｉ上の壁電圧を消去する。
【００３１】
次に、パネル１０を駆動するための駆動回路とその動作について説明する。
【００３２】
図４は、本発明の実施の形態１におけるプラズマディスプレイ装置３０の回路ブロック図である。プラズマディスプレイ装置３０は、パネル１０、画像信号処理回路３１、データ電極駆動回路３２、走査電極駆動回路３３、維持電極駆動回路３４、タイミング発生回路３５および各回路ブロックに必要な電源を供給する電源回路（図示せず）を備えている。
【００３３】
画像信号処理回路３１は、入力された画像信号をサブフィールド毎の発光・非発光を示す画像データに変換する。データ電極駆動回路３２はサブフィールド毎の画像データを各データ電極Ｄ１〜Ｄｍに対応する書込みパルスに変換し各データ電極Ｄ１〜Ｄｍに印加する。タイミング発生回路３５は同期信号をもとにして各回路ブロックの動作を制御する各種のタイミング信号を発生し、それぞれの回路ブロックへ供給する。走査電極駆動回路３３は走査電極ＳＣ１〜ＳＣｎに印加するランプ波形電圧を発生させる波形発生回路を備え、タイミング信号にもとづいて各走査電極ＳＣ１〜ＳＣｎのそれぞれに駆動電圧を印加する。維持電極駆動回路３４はタイミング信号にもとづいて維持電極ＳＵ１〜ＳＵｎに駆動電圧を印加する。
【００３４】
次に、ランプ波形電圧を発生させる波形発生回路の詳細について、緩やかに下降する下りランプ波形電圧を発生させる波形発生回路４０を例に説明する。
【００３５】
図５は、本発明の実施の形態１における波形発生回路４０の回路図である。本実施の形態における波形発生回路４０は、抵抗Ｒ４１とコンデンサＣ４１と、トランジスタＱ４２と、レベルシフト回路４４と、トランジスタＱ４５と、ダイオードＤ４６とを備えている。トランジスタＱ４２のソース端子は電圧Ｖｉ４の電源に接続され、トランジスタＱ４５のソース端子は電圧Ｖｉ４よりも高い電圧Ｖｃの電源に接続されている。
【００３６】
ここで、抵抗Ｒ４１とコンデンサＣ４１とトランジスタＱ４２とは第１のミラー積分回路４３を構成している。またレベルシフト回路４４はトランジスタＱ４２のゲート電圧をレベルシフトし、その出力でトランジスタＱ４５を制御している。この構成により、抵抗Ｒ４１とコンデンサＣ４１とトランジスタＱ４５とは第２のミラー積分回路４７を構成している。なお、ダイオードＤ４６は電流の逆流を防止するために設けている。
【００３７】
このように本実施の形態における波形発生回路４０は、ランプ波形電圧の勾配を決める定電流源として働く抵抗Ｒ４１とフィードバック用のコンデンサＣ４１とを共有する２つのミラー積分回路４３、４７を備えている。
【００３８】
次に、本実施の形態における波形発生回路４０の動作を、図３に期間Ｔ１で示した下り傾斜波形電圧を発生させる場合について詳細に説明する。図６は、本発明の実施の形態１におけるプラズマディスプレイ装置３０の波形発生回路４０の動作を示す波形図であり、図６（ａ）はトランジスタＱ４２のドレイン電圧Ｖｄａを、図６（ｂ）は入力端子に印加する電圧Ｖｉｎを、図６（ｃ）はトランジスタＱ４２のゲート−ソース間電圧Ｖｇｓａを、図６（ｄ）はトランジスタＱ４５のゲート−ソース間電圧Ｖｇｓｂを、図６（ｅ）はトランジスタＱ４２のドレイン電流Ｉｄａを、図６（ｆ）はトランジスタＱ４５のドレイン電流Ｉｄｂをそれぞれ示している。
【００３９】
まず、波形発生回路４０の出力であるトランジスタＱ４２のドレイン電圧Ｖｄａの初期値を電圧Ｖｉ３とする。このとき、コンデンサＣ４１は電圧（Ｖｉ３−Ｖｉ４）に充電されている。
【００４０】
時刻ｔ１１において、電圧Ｖｉ４を基準とする入力電圧ＶＨを入力端子に印加する。するとトランジスタＱ４２のゲート電圧が上昇するとともにレベルシフト回路４４を介してトランジスタＱ４５のゲート電圧が上昇する。ここで本実施の形態においては、トランジスタＱ４５がトランジスタＱ４２よりも先に動作するようにレベルシフト回路４４のシフトする電圧が設定されている。すなわち、トランジスタＱ４２とトランジスタＱ４５との特性が同じ場合、レベルシフト回路４４がシフトする電圧は電圧（Ｖｃ−Ｖｉ４）よりもわずかに高く設定されている。
【００４１】
するとトランジスタＱ４５を有する第２のミラー積分回路４７が動作して、抵抗Ｒ４１に流れる電流とコンデンサＣ４１の容量とから決まる速度で、波形発生回路４０の出力であるトランジスタＱ４２のドレイン電圧Ｖｄａが低下しはじめる。
【００４２】
時刻ｔ１２において、出力電圧Ｖｄａが電圧Ｖｃ近くまで低下すると、トランジスタＱ４５はそれ以上出力電圧Ｖｄａを低下させることができなくなる。すると、今度はトランジスタＱ４２を有する第１のミラー積分回路４３が動作する。そして引き続き、抵抗Ｒ４１に流れる電流とコンデンサＣ４１の容量とから決まる速度で出力端子の電圧Ｖｄａが低下する。そして出力電圧Ｖｄａが電圧Ｖｉ４付近まで低下する。このとき出力電圧Ｖｄａは電圧Ｖｃよりも低い電圧まで低下するが、ダイオードＤ４６が電流の逆流を防いでいる。
【００４３】
このようにして本実施の形態においては、電圧Ｖｉ３から電圧Ｖｃまでは第２のミラー積分回路４７が動作して下りランプ波形電圧を発生し、電圧Ｖｃから電圧Ｖｉ４までは第１のミラー積分回路４３が動作して下りランプ波形電圧を発生する。
【００４４】
次にトランジスタＱ４２、Ｑ４５の消費電力を見積もる。時刻ｔ１１から時刻ｔ１２までの期間においては、トランジスタＱ４２には電流が流れないのでトランジスタＱ４２の消費電力は「０」である。トランジスタＱ４５には一定電流Ｉｄｂが流れるとともにトランジスタＱ４５のドレイン−ソース間に電圧（Ｖｄａ−Ｖｃ）が印加されるので、トランジスタＱ４５では図６の（２）に示した領域の面積に比例した電力が消費される。
【００４５】
また時刻ｔ１２から時刻ｔ１３までの期間は、トランジスタＱ４５には電流が流れないのでトランジスタＱ４５の消費電力は「０」である。トランジスタＱ４２には一定電流Ｉｄａが流れるとともにトランジスタＱ４２のドレイン−ソース間に電圧（Ｖｄａ−Ｖｉ４）が印加されるので、トランジスタＱ４２では図６の（１）に示した領域の面積に比例した電力が消費される。そして図６からわかるように、電圧Ｖｃを電圧Ｖｉ３と電圧Ｖｉ４との中間の電圧、すなわち電圧（Ｖｉ３＋Ｖｉ４）／２に設定するとトランジスタＱ４２とトランジスタＱ４５の消費電力を等しくすることができる。またこのときの波形発生回路４０の消費電力を最小にすることができる。そしてこのときの波形発生回路４０の消費電力は従来の波形発生回路９０の１／２となり、トランジスタ１石当りの消費電力は従来の波形発生回路９０のトランジスタＱ９１の１／４となる。
【００４６】
このように、本実施の形態における波形発生回路４０は、抵抗Ｒ４１とコンデンサＣ４１とを共有する２つのミラー積分回路４３、４７を備え、それらが時分割にて駆動することにより、消費電力を抑えるとともに、２つのトランジスタＱ４２、Ｑ４５に消費電力を分散させることができる。
【００４７】
また、本実施の形態における波形発生回路４０の２つのミラー積分回路４３、４７は、電圧の勾配を決める抵抗Ｒ４１とコンデンサＣ４１とを共有しているため、ミラー積分回路４３、４７のそれぞれの動作時にランプ電圧波形の勾配が変わることがない。さらに抵抗Ｒ４１の抵抗値を変化させることにより、ミラー積分回路４３、４７それぞれのランプ電圧波形の勾配を同時に変化させることができる。
【００４８】
なお、本実施の形態においては、レベルシフト回路４４を第２のミラー積分回路４７のトランジスタＱ４５のゲート端子に設けた回路構成について説明したが、本発明はこれに限定されるものではない。例えば、第２のミラー積分回路４７のトランジスタＱ４５のゲート端子にはレベルシフト回路を設けずに、第１のミラー積分回路４３のトランジスタＱ４２のゲート端子にレベルシフト回路を設けた回路構成であってもよい。また、第１のミラー積分回路４３のトランジスタＱ４２のゲート端子、および第２のミラー積分回路４７のトランジスタＱ４５のゲート端子の両方にレベルシフト回路を設けた回路構成であってもよい。
【００４９】
（実施の形態２）
図７は、本発明の実施の形態２におけるプラズマディスプレイ装置の波形発生回路５０の回路図であり、下りランプ波形電圧を発生する波形発生回路５０の回路図である。実施の形態２においては図５の抵抗Ｒ４１の代わりに、トランジスタＱ５１を用いた定電流回路５３を有する。またレベルシフト回路６６の回路構成例を具体的に示している。
【００５０】
波形発生回路５０は、トランジスタＱ５１と抵抗Ｒ５１と抵抗Ｒ５２とツェナーダイオードＤ５１とダイオードＤ５２とを有する定電流回路５３と、コンデンサＣ５４とツェナーダイオードＤ５４と抵抗Ｒ５４とを有するフィードバック部５５と、トランジスタＱ５６とそれに付随した抵抗およびダイオードと、トランジスタＱ６１〜Ｑ６５とそれに付随する抵抗とを有するレベルシフト回路６６と、トランジスタＱ６７と、逆流防止用のダイオードＤ６７とを備えている。トランジスタＱ５６のソース端子は電圧Ｖｉ４の電源に接続され、トランジスタＱ６７のソース端子は電圧Ｖｉ４より高い電圧である０（Ｖ）、すなわち接地電位に接続されている。
【００５１】
そして定電流回路５３とコンデンサＣ５４を有するフィードバック部５５とトランジスタＱ５６とは第１のミラー積分回路５６を構成する。またレベルシフト回路６６はトランジスタＱ５６のゲート電圧をレベルシフトし、その出力でトランジスタＱ６７を制御している。この構成により、定電流回路５３とフィードバック部５５とトランジスタＱ６７とは第２のミラー積分回路６８を構成している。そして定電流回路５３の電流値とコンデンサＣ５４の容量とによりランプ波形電圧の勾配が決定する。
【００５２】
なお、定電流回路５３のダイオードＤ５２はトランジスタＱ５６をすばやくターンオフするためのダイオードである。またフィードバック部５５のコンデンサＣ５４に直列に挿入された抵抗Ｒ５４は発振防止および電流制限のために設けられている。またコンデンサＣ５４に直列に挿入されたツェナーダイオードＤ５４は、ランプ波形電圧の最初で電圧を急激に変化させる必要がある場合に挿入される。
【００５３】
レベルシフト回路６６のトランジスタＱ６１はトランジスタＱ５６のゲート電圧を電流増幅するエミッタフォロワ回路である。そしてその出力はトランジスタＱ６２で反転され、さらにトランジスタＱ６３で反転増幅される。そしてトランジスタＱ６４とトランジスタＱ６５で構成されるプッシュプル回路により電流増幅されてトランジスタＱ６７のゲートに出力する。ここでも実施の形態１と同様に、トランジスタＱ６７がトランジスタＱ５６よりも先に動作するようにレベルシフト回路６６のシフトする電圧が設定されている。
【００５４】
実施の形態２における波形発生回路５０の動作は、実施の形態１における波形発生回路４０の抵抗Ｒ４１を定電流回路５３に、コンデンサＣ４１をフィードバック部５５に、トランジスタＱ４２をトランジスタＱ５６に、レベルシフト回路４４をレベルシフト回路６６に、トランジスタＱ４５をトランジスタＱ６７に、ダイオードＤ４６をダイオードＤ６７に、それぞれ置換えたときの動作と同様である。
【００５５】
このように実施の形態２における波形発生回路５０は、ランプ波形電圧の勾配を決める電流源としての定電流回路５３とフィードバック用のコンデンサＣ５４を有するフィードバック部５５とを共有する２つのミラー積分回路５６、６８を備え、それらが時分割にて駆動することにより、消費電力を抑えるとともに、２つのトランジスタＱ５６、Ｑ６７に消費電力を分散させることができる。そしてこの構成により、使用できるトランジスタの選択範囲が広がり、放熱板を小さくできる等、放熱設計も容易になる。
【００５６】
また、実施の形態２における波形発生回路５０の２つのミラー積分回路５６、６８は、電圧の勾配を決める定電流回路５３とコンデンサＣ５４とを共有しているため、ミラー積分回路５６、６８のそれぞれの動作時にランプ電圧波形の勾配が変わることがない。さらに定電流回路５３の電流を変化させることにより、ミラー積分回路５６、６８それぞれのランプ電圧波形の勾配を同時に変化させることができる。
【００５７】
なお、実施の形態１においてはトランジスタＱ４２およびトランジスタＱ４５としてＭＯＳ型電界効果トランジスタを用いた回路構成例を示し、実施の形態２においてはトランジスタＱ５６として絶縁ゲートバイポーラトランジスタを、トランジスタＱ６７としてＭＯＳ型電界効果トランジスタをそれぞれ用いた回路構成例を示したが、本発明はこれに限定されるものではなく、いずれのトランジスタを用いてもよい。
【００５８】
また、実施の形態２においてはトランジスタを用いてレベルシフト回路６６を構成する回路例を示したが、本発明はこれに限定されるものではなく、例えば演算増幅器を用いてレベルシフト回路６６を構成してもよい。
【００５９】
なお、実施の形態１および実施の形態２においては、下りランプ波形電圧を発生する波形発生回路について説明したが、上りランプ波形電圧を発生する波形発生回路についても本発明を適用することができる。すなわち上りランプ波形電圧を発生する波形発生回路を、定電流源とフィードバックコンデンサとを共有する２つのミラー積分回路を備えた回路構成とすることにより、消費電力を抑えることができる。
【００６０】
また実施の形態１および実施の形態２においては、電圧の勾配を決める電流源とコンデンサとを共有するミラー積分回路を２つ用いて波形発生回路を構成したが、電圧の勾配を決める電流源とコンデンサとを共有するミラー積分回路を３つ以上用いて波形発生回路を構成してもよい。
【産業上の利用可能性】
【００６１】
本発明は上記で説明した波形発生回路を備えることにより、消費電力を抑えるとともに、複数のトランジスタに消費電力を分散させることができるので、プラズマディスプレイ装置として有用である。
【図面の簡単な説明】
【００６２】
【図１】本発明の実施の形態１におけるプラズマディスプレイ装置に用いるパネルの構造を示す分解斜視図
【図２】同プラズマディスプレイ装置に用いるパネルの電極配列図
【図３】同プラズマディスプレイ装置の各電極に印加する駆動電圧波形図
【図４】同プラズマディスプレイ装置の回路ブロック図
【図５】同プラズマディスプレイ装置の波形発生回路の回路図
【図６】同プラズマディスプレイ装置の波形発生回路の動作を示す波形図
【図７】本発明の実施の形態２におけるプラズマディスプレイ装置の波形発生回路の回路図
【図８】従来のプラズマディスプレイ装置の波形発生回路の回路図
【図９】従来のプラズマディスプレイ装置の波形発生回路の動作を示す波形図
【符号の説明】
【００６３】
１０    パネル
１２    走査電極
１３    維持電極
１４    表示電極対
２２    データ電極
３０    プラズマディスプレイ装置
３１    画像信号処理回路
３２    データ電極駆動回路
３３    走査電極駆動回路
３４    維持電極駆動回路
３５    タイミング発生回路
４０，５０    波形発生回路
４３，５６    第１のミラー積分回路
４４，６６    レベルシフト回路
４７，６８    第２のミラー積分回路
５３    定電流回路
５５    フィードバック部
【図１】
2009300565.tif 000003
【図２】
2009300565.tif 000004
【図３】
2009300565.tif 000005
【図４】
2009300565.tif 000006
【図５】
2009300565.tif 000007
【図６】
2009300565.tif 000008
【図７】
2009300565.tif 000009
【図８】
2009300565.tif 000010
【図９】
2009300565.tif 000011